(57)【要約】【課題】指定したエリア外のＲＦＩＤタグの情報を読み取ってしまった場合に、自動的に無効扱いにして管理する資産管理システムを提供する。【解決手段】管理対象の複数の資産にそれぞれ取り付けられ、各資産を特定する情報を記憶したＲＦＩＤタグと、ＲＦＩＤタグからの応答電波を受信するＲＦＩＤリーダと、設定したエリア内にある資産のＲＦＩＤタグの情報をＲＦＩＤリーダから受け取り、データベースの管理情報と照合して各資産の管理を行う資産管理部と、設定したエリア外のＲＦＩＤタグの情報が読み取られた場合に、該当するＲＦＩＤタグをリードエラーリストに登録する登録部とを備え、設定したエリア内のＲＦＩＤタグの読み取りを実施したときに、リードエラーリストに登録されたＲＦＩＤタグの情報が読み取られた場合は、その読み取った情報を無視する。【選択図】図３
2011060040.tif 000002
【特許請求の範囲】
【請求項１】
管理対象の複数の資産にそれぞれ取り付けられ、前記複数の資産を特定する情報を記憶したＲＦＩＤタグと、
前記複数のＲＦＩＤタグに対して電波を送信し、前記ＲＦＩＤタグからの応答電波を受信して前記ＲＦＩＤタグの情報を読み取るＲＦＩＤリーダと、
前記複数の資産の管理情報を記憶したデータベースと、
予め設定したエリア内にある前記資産のＲＦＩＤタグの情報を前記ＲＦＩＤリーダから受け取り、前記データベースの管理情報と照合して前記各資産の管理を行う資産管理部と、
前記設定したエリア外のＲＦＩＤタグの情報が読み取られた場合に、該当するＲＦＩＤタグをリードエラーリストに登録する登録部と、を具備し、
前記エリア内の前記ＲＦＩＤタグの読み取りを実施したときに、前記リードエラーリストに登録されたＲＦＩＤタグの情報が読み取られた場合は、その読み取った情報を無視することを特徴とする資産管理システム。
【請求項２】
前記登録部は、前記エリア内の前記ＲＦＩＤタグの読み取りを実施したときに、前記エリア外のＲＦＩＤタグの情報が読み取られた場合には読み取った回数をユーザに提示し、ユーザ操作に基づいて該当するＲＦＩＤタグを前記リードエラーリストに登録することを特徴とする請求項１記載の資産管理システム。
【請求項３】
前記登録部は、前記エリア内の前記ＲＦＩＤタグの読み取りを実施したときに、前記エリア外のＲＦＩＤタグの情報が読み取られた場合には、読み取った回数が予め規定した回数を越えたときに前記リードエラーリストに自動的に登録することを特徴とする請求項１記載の資産管理システム。
【請求項４】
前記資産管理部は、前記複数の資産をグループ分けし、
前記登録部は、所定グループの前記ＲＦＩＤタグの読み取りを実施したときに、他のグループのＲＦＩＤタグの情報が読み取られた場合には該当するＲＦＩＤタグをリードエラーリストに登録することを特徴とする請求項１記載の資産管理システム。
【請求項５】
管理対象の複数の資産にそれぞれ取り付けられ、前記複数の資産を特定する情報を記憶したＲＦＩＤタグと、前記複数のＲＦＩＤタグに対して電波を送信し、前記ＲＦＩＤタグからの応答電波を受信して前記ＲＦＩＤタグの情報を読み取るＲＦＩＤリーダとを備え、
前記複数の資産の管理情報をデータベースに記憶し、
予め設定したエリア内にある前記資産のＲＦＩＤタグの情報を前記ＲＦＩＤリーダから受け取り、前記データベースの管理情報と照合して前記各資産の管理を行い、
前記設定したエリア外のＲＦＩＤタグの情報が読み取られた場合に、該当するＲＦＩＤタグをリードエラーリストに登録し、
前記エリア内の前記ＲＦＩＤタグの読み取りを実施したときに、前記リードエラーリストに登録されたＲＦＩＤタグの情報が読み取られた場合は、その読み取った情報を無視することを特徴とする資産管理方法。
【請求項６】
前記エリア内の前記ＲＦＩＤタグの読み取りを実施したときに、前記エリア外のＲＦＩＤタグの情報が読み取られた場合には読み取った回数をユーザに提示し、ユーザ操作に基づいて該当するＲＦＩＤタグを前記リードエラーリストに登録することを特徴とする請求項５記載の資産管理方法。
【請求項７】
前記エリア内の前記ＲＦＩＤタグの読み取りを実施したときに、前記エリア外のＲＦＩＤタグの情報が読み取られた場合には読み取った回数が予め規定した回数以上になったときに該当するＲＦＩＤタグを前記リードエラーリストに自動的に登録することを特徴とする請求項５記載の資産管理方法。
【請求項８】
前記複数の資産をグループ分けし、
所定グループの前記ＲＦＩＤタグの読み取りを実施したときに、他のグループのＲＦＩＤタグの情報が読み取られた場合には該当するＲＦＩＤタグをリードエラーリストに登録することを特徴とする請求項５記載の資産管理方法。
【発明の詳細な説明】
【技術分野】
【０００１】
本発明は、無線タグを利用して書類、備品等の資産を管理する資産管理システム及び資産管理方法に関する。
【背景技術】
【０００２】
従来、企業（会社、店舗、銀行など）では、自身が保有する資産（パーソナルコンピュータ等の物品や書類等）が帳簿上の数量と一致するか否かを確認するために定期的に棚卸を行っている。棚卸は、資産が不正に持ち出されたり、紛失していないか等を確認するものである。近年では、資産管理のために各物品や書類等にＲＦＩＤ（Radio Frequency Identification）タグを取り付け、ＲＦＩＤタグに各資産のＩＤ情報を記憶し、棚卸の際にＲＦＩＤタグの情報を非接触で読み取って、各物品や書類の有無等をチェックするようにしている。
【０００３】
例えば管理対象となる物品或いは書類を入れるダンボール・袋などのホルダーや、物品自体にＩＤ情報を記憶したＲＦＩＤタグを貼り付け、タグリーダを備えたハンディタイブのリーダライタによって非接触でＲＦＩＤタグの情報を読取り、各物品の有無や、収納位置等を検知するようにしている。また各収納棚にどの物品やホルダーが保管されているかを予めデータベースに記憶しておき、読み取ったＲＦＩＤタグの管理情報とデータベースの記憶情報を照合して棚卸を行っていた。
【０００４】
ところで、ＲＦＩＤタグを物品やホルダーに取り付けて棚卸管理を行う場合、ＲＦＩＤタグは目視できなくても、電波により複数個のタグの情報を読み取ることができるため、設定したエリア以外にあるＲＦＩＤタグの情報も読み取ってしまうことがある。このため、本来読み取る必要のないＲＦＩＤタグの情報を読み取った場合は、目視にて再確認する等の作業が発生してしまう。
【０００５】
特許文献１には、棚卸時にマスターデータベースに存在しない資産品を検出した場合に、マスターデータベースに対して更新又は新規登録を行うようにした資産管理システムが開示されている。この特許文献１は、主にデータ入力ミスや転記ミスに伴う不具合を改善したものである。
【先行技術文献】
【特許文献】
【０００６】
【特許文献１】再公表特許ＷＯ０２／００８９７９号公報
【発明の概要】
【発明が解決しようとする課題】
【０００７】
従来、ＲＦＩＤタグを物品やホルダーに取り付けて棚卸管理を行う場合、電波により複数個のタグの情報を読み取ることができるため、設定したエリア以外にあるＲＦＩＤタグの情報も読み取ってしまい、リードエラーが発生した場合は、再確認作業が必要となり棚卸効率の低減を招いていた。
【０００８】
本発明は上記事情に鑑みて成されたもので、指定したエリア外のＲＦＩＤタグの情報を読み取ってしまった場合に、自動的に無効扱いにすることで効率的に資産管理行うことができる資産管理システム及び資産管理方法を提供することを目的とする。
【課題を解決するための手段】
【０００９】
請求項1記載の本発明の資産管理システムは、管理対象の複数の資産にそれぞれ取り付けられ、前記複数の資産を特定する情報を記憶したＲＦＩＤタグと、前記複数のＲＦＩＤタグに対して電波を送信し、前記ＲＦＩＤタグからの応答電波を受信して前記ＲＦＩＤタグの情報を読み取るＲＦＩＤリーダと、前記複数の資産の管理情報を記憶したデータベースと、予め設定したエリア内にある前記資産のＲＦＩＤタグの情報を前記ＲＦＩＤリーダから受け取り、前記データベースの管理情報と照合して前記各資産の管理を行う資産管理部と、前記設定したエリア外のＲＦＩＤタグの情報が読み取られた場合に、該当するＲＦＩＤタグをリードエラーリストに登録する登録部とを具備し、前記エリア内の前記ＲＦＩＤタグの読み取りを実施したときに、前記リードエラーリストに登録されたＲＦＩＤタグの情報が読み取られた場合は、その読み取った情報を無視することを特徴とする。
【００１０】
また、請求項５記載の本発明の資産管理方法は、管理対象の複数の資産にそれぞれ取り付けられ、前記複数の資産を特定する情報を記憶したＲＦＩＤタグと、前記複数のＲＦＩＤタグに対して電波を送信し、前記ＲＦＩＤタグからの応答電波を受信して前記ＲＦＩＤタグの情報を読み取るＲＦＩＤリーダとを備え、前記複数の資産の管理情報をデータベースに記憶し、予め設定したエリア内にある前記資産のＲＦＩＤタグの情報を前記ＲＦＩＤリーダから受け取り、前記データベースの管理情報と照合して前記各資産の管理を行い、前記設定したエリア外のＲＦＩＤタグの情報が読み取られた場合に、該当するＲＦＩＤタグをリードエラーリストに登録し、前記エリア内の前記ＲＦＩＤタグの読み取りを実施したときに、前記リードエラーリストに登録されたＲＦＩＤタグの情報が読み取られた場合は、その読み取った情報を無視することを特徴とする。
【発明の効果】
【００１１】
本発明によれば、ＲＦＩＤタグを使用した資産管理システムにおいて、エリア外のＲＦＩＤタグが読み取られた場合は、該当するタグをリストに登録することにより、以後、リードエラーがあっても読み取った情報は無効として処理されるため、効率よく資産管理を行うことができる。
【図面の簡単な説明】
【００１２】
【図１】本発明の一実施形態に係る資産管理システムを示す構成図。
【図２】ＲＦＩＤタグ情報の読み取り動作とリードエラーを説明する説明図。
【図３】一実施形態に係る資産管理システムの構成を示すブロック図。
【図４】ＲＦＩＤタグの登録処理を示すフローチャートと説明図。
【図５】棚卸時のデータ照合の動作を示すフローチャートと説明図。
【図６】リードエラー時の動作を示すフローチャートと表示例の説明図。
【発明を実施するための形態】
【００１３】
以下、この発明の一実施の形態について図面を参照して詳細に説明する。
【実施例１】
【００１４】
図１は本発明の一実施形態に係る資産管理システムの構成図である。この実施形態の資産管理システムは、保管棚１００に保管された物品・書類等の資産１０に取り付けられたＲＦＩＤタグ２０（無線タグ）と、ＲＦＩＤタグ２０の情報を読み取るハンディタイプのＲＦＩＤリーダ３０（以下ハンディターミナル３０と呼ぶ）を含む。
【００１５】
ハンディターミナル３０は、ＲＦＩＤタグ２０と無線で通信可能であり、ハンディターミナル３０からＲＦＩＤタグ２０に対して電波を発信し、ＲＦＩＤタグ２０からの応答電波をハンディターミナル３０で読み取る。また、ハンディターミナル３０は、パーソナルコンピュータ等の上位システム４０に接続している。ハンディターミナル３０は、表示部３０１と各種の入力キーを含む操作部３０２を有し、ユーザ（操作者）によって操作される。
【００１６】
保管棚１００は、例えば多段の保管場所を有し、各段に物品・書類等の資産を収納したホルダー１０を保管している。尚、資産としては、パーソナルコンピュータ、ソフトウェア、スキャナ、電話機等の物品のほかに、各種の書類（契約書、設計書、企画書など）も含まれる。
【００１７】
図２は、保管棚１００に保管された複数のホルダー１０と、それに貼り付けられたＲＦＩＤタグ２０を拡大して示す説明図である。以下の説明では、図２で示すように、特定のホルダー１０（１０１，１０２…１０ｎ）に資産である書類や物品を保管し、各ホルダー１０にそれぞれＲＦＩＤタグ２０（２０１，２０２…２０ｎ）を貼り付けて資産管理する例を説明する。勿論、物品個々にＲＦＩＤタグ２０を貼り付けたり、書類１枚毎にＲＦＩＤタグ２０を貼り付けてもよい。また保管棚１００は、１つに限らず、複数個であってもよい。また資産管理の一例として棚卸を行う場合を説明する。
【００１８】
図３は、ハンディターミナル３０及び周辺装置の構成を示すブロック図である。ハンディターミナル３０は、主制御部を構成するＣＰＵ３１（Central Processing Unit）と、ＲＯＭ３２（Read Only Memory）、ＲＡＭ３３（Random Access Memory）を含む記憶部と、上位システム４０（パーソナルコンピュータ:ＰＣ）とデータ通信を行う通信部３４を有する。また、ＲＦＩＤタグ２０との間で通信を行うため、ＲＦＩＤ制御部３５、送信制御部３６、受信制御部３７、サーキュレータ３８及びアンテナ３９を有している。
【００１９】
ＲＦＩＤ制御部３５は、ＣＰＵ３１の制御のもとに送信制御部３６及び受信制御部３７を制御する。送信制御部３６は、ＲＦＩＤ制御部３５からの高周波信号をデジタルデータで変調してサーキュレータ３８に出力する。サーキュレータ３８は、送信制御部３６からの信号をアンテナ３９に出力し、アンテナ３９からはサーキュレータ３８の出力信号に応じた電波を発信する。
【００２０】
一方、ホルダー１０に取り付けたＲＦＩＤタグ２０は、アンテナ３９から発信された電波を受信すると、ハンディターミナル３０に対して応答電波を発信する。ＲＦＩＤタグ２０からの応答電波は、アンテナ３９で受信される。アンテナ３９で受信した応答電波は、サーキュレータ３８に入力され、受信制御部３７で受信処理される。受信制御部３７は、入力された信号を増幅した後ベースバンド信号に変換し、このベースバンド信号を復調してデジタルデータに変換し、ＲＦＩＤ制御部３５に出力する。ハンディターミナル３０は、図２で示す表示部３０１と操作部３０２を備えている。
【００２１】
またハンディターミナル３０は、上位システムであるＰＣ４０に接続されている。ＰＣ４０は、内蔵した管理プログラム４０１にしたがって資産管理（例えば棚卸）を実行するもので、資産管理部を構成する。さらにＰＣ４０はデータベース５０に接続している。データベース５０には、棚卸用の管理情報が記憶されている。例えば管理棚１００の設置場所、管理部門、担当者、各棚に保管されている資産名、各ＲＦＩＤタグ２０のＩＤ情報などが記憶されている。尚、データベース５０とＰＣ４０は、別体として構成してもよいが、データベース５０をＰＣ４０内に組み込んでもよい。
【００２２】
棚卸を実行する際には、保管棚１００の所定のエリア内に保管されたホルダー１０に対してハンディターミナル３０から電波を送信する。各ホルダー１０に取り付けられたＲＦＩＤタグ２０は、ハンディターミナル３０からの電波を受信するとハンディターミナル３０に対して、応答電波を送信する。ハンディターミナル３０は、受信した電波に含まれるＲＦＩＤタグ２０の固有のＩＤ情報を読み取り、ＰＣ４０に送る。即ち、ＲＦＩＤタグ２０にはそれぞれホルダー１０（資産）を特定する情報（ＩＤ情報）が記憶されており、ハンディターミナル３０からの読み取り要求に応じてＩＤ情報を含む信号を返送する。
【００２３】
ＰＣ４０は、データベース５０に格納された管理情報とＲＦＩＤタグ２０から送信されたＩＤ情報を照合して、保管棚１００の所定の位置（段）にホルダー１０が保管されているか否かをチェックする。つまりデータベース５０には、予めどの保管棚１００の何段目にどのホルダー１０が保管されているかをＲＦＩＤタグ２０のＩＤ情報を含めて格納しているため、ハンディターミナル３０が読み取った情報をＰＣ４０で受取り、データベース５０に記憶されている管理情報と比較することで、各ホルダー１０が正規の位置にあるか否かを判断して、管理対象の資産の有無を確認する。
【００２４】
ところで、このような資産管理システムでは、保管棚の数や段数が多くなると、一度に全てのホルダー１０の棚卸を実行することが困難であるため、例えばＡ棚の第１段目、第２段目…のように所定のエリアに分けて棚卸するのが一般的である。つまり、ハンディターミナル３０からの電波強度や周波数、指向性等を調整することでエリアを指定することができ、幾つかのエリア毎に棚卸を実施することができる。
【００２５】
しかしながら、所定のエリア（例えば、Ａ棚の１段目）を指定して棚卸を実施しようとしても、指定エリア外にあるホルダー１０のＲＦＩＤタグ２０の情報を読み取ることがあり、棚卸の照合にズレを生じることがある。このように指定エリア外にあるＲＦＩＤタグ２０のＩＤ情報を読み取ってしまうことを、以下の説明ではリードエラーと呼ぶ。例えば、図２で示すように１段目にあるホルダー１０（１０１，１０２…１０ｎ）をエリア指定しても、指定外の２段目にあるホルダー１０ｐのＲＦＩＤタグ２０ｐから応答電波を受信することがある。
【００２６】
ホルダー１０が密集して配置されている場合、ハンディターミナル３０からの電波送信の電力を強くする必要があるため、エリア外（Ａ棚の２段目）にあるＲＦＩＤタグ２０が反応することは稀にある。或いは隣の保管棚にあるホルダーのタグデータを読み取ってしまう。このため、本来読み取る必要のないＲＦＩＤタグの情報を読み取った場合は、リードエラーとなり、目視にて再確認する作業が発生してしまい、棚卸効率が低下してしまう。特に何万件もの資産について棚卸する場合は、再確認作業に多くの時間を費やすことになる。
【００２７】
本発明の実施形態は、このようなリードエラーに対処したものである。即ち、ＲＦＩＤタグ２０を起動／通信するための電波は、周辺環境（電波の反射状態）、資産の材質、大きさ等の影響により、よく読み取れたり、読み取れなかったりする。つまり、エリアを指定して何回か棚卸を行うと、エリア外であるにも拘わらずよく読み取られるＲＦＩＤタグ２０が特定できる。
【００２８】
そこで、エリア外のＲＦＩＤタグ２０の情報を読み取ってしまった場合は、リードエラーした回数を基にリードエラーする可能性の高いＲＦＩＤタグとしてリードエラーリストに登録する。リードエラーリストはデータベース５０或いはＰＣ４０内の記憶部に設けられる。以後、棚卸したときにリードエラーが発生した場合は、それがリードエラーリストに登録されていれば無視して、異常なしと判断して棚卸を行う。
【００２９】
以下。本発明の実施形態の動作を、図４〜図６のフローチャートを参照して具体的説明する。なお、以下の説明では、ＲＦＩＤタグ２０を単にタグ２０と呼ぶこともある。
【００３０】
先ず図４（ａ）のステップＳ１では、ＲＦＩＤタグ２０の登録処理を行う。即ち、データベース５０には、図４（ｂ）で示すように棚卸用の管理情報が格納されている。図４（ｂ）では、客先別に契約した書類をそれぞれホルダー１０に保管した例を示している。例えば保管棚１００の棚番（Ａ，Ｂ…）、段（１段目、２段目…）、発行者、客先名、管理番号、ＲＦＩＤタグ２０のＩＤ情報などが記憶されている。
【００３１】
したがって、データベース５０の情報をもとに、保管棚１００のどの段にどの契約書が入ったホルダー１０が保管されているかが分かる。また対応するＲＦＩＤタグ２０のＩＤ情報を確認することができる。また貸し出し中の書類がある場合は、何月何日に誰に貸し出したかといったデータも記憶される。
【００３２】
一方、ホルダー１０に貼り付けたＲＦＩＤタグ２０には、データベース５０に記憶されたＩＤ情報がステップＳ１で書き込まれる。尚、ＲＦＩＤタグ２０には、他の情報、例えば保管位置を示す棚番や段の情報、或いは管理番号の情報等を書き込んでもよい。
【００３３】
図５は、棚卸を実施したときの照合の動作を示すフローチャートと説明図である。図５（ａ）のステップＳ２においてエリアを指定し、例えばＡ棚の１段目のエリアにあるホルダー群１０に対して棚卸することを決定すると、ステップＳ３ではデータベース５０から該当するエリア（Ａ棚の１段目）の管理情報を呼び出し、ＰＣ４０に保存する。
【００３４】
ステップＳ４では、ハンディターミナル３０から指定エリア（Ａ棚の１段目）にあるホルダー群１０に対して電波を発信し、各ホルダー１０に取り付けたＲＦＩＤタグ２０からの応答電波を受信して、タグ２０に記憶された情報を読み取る。ステップＳ５では読み取った情報からＲＦＩＤタグ２０のＩＤ情報を取得する。またステップＳ６では、データベース５０のリードエラーリストから指定エリア（Ａ棚の１段目）のリードエラー情報（誤読み）を呼び出す。
【００３５】
ステップＳ７では、ステップＳ３で呼び出したデータベース５０の情報と、ステップＳ６で呼び出したリードエラー情報と、ステップＳ５で取得したＩＤ情報を照合する。ステップＳ８では照合の結果をもとに、指定エリア以外のＲＦＩＤタグ２０の情報の有無を判断して棚卸の成否を判定する。
【００３６】
ステップＳ８において、指定エリア以外のタグ２０の情報が存在しない場合は、ステップＳ９にて、指定エリアの棚卸を終了する。例えば、図５（ｂ）で示すように、指定したエリア内のタグ２０の情報が有る場合を○印で示し、指定したエリアのタグ２０の情報が無い場合を×印で示したとき、全てが○印であれば棚卸を終了する。また×印があっても、貸し出し中（○印）であれば問題ないため棚卸を終了する。
【００３７】
一方、ステップＳ８において、指定エリア以外のＲＦＩＤタグ２０の情報が読み取られた場合は、図６（ａ）のステップＳ１０に進む。ステップＳ１０では、読み取ったタグ２０の情報が、リードエラーリストに登録されているか否かを判断する。登録済みでない場合（ＮＯ）は、ステップＳ１１においてリードエラーした回数をカウントし、リードエラーする都度、カウントアップする。通常、同じエリアに対して複数回の棚卸を実施するため、何度もリードエラーが生じる場合は、その回数を指定エリアとともに保存する。ステップＳ１２ではリードエラー情報をＰＣ４０の表示部に表示する。ステップＳ１３は、確認・修正・登録のステップであり、確認できた場合は棚卸を終了する。また修正や登録事項があれば修正、登録を行って終了する。
【００３８】
図６（ｂ）は、リードエラー情報の表示例を示す。図６（ｂ）では、指定エリアでの棚卸回数に対してリードエラーがあった場合にその回数を表示している。例えばＡ棚の１段目の棚卸を行うと、毎回のようにＡ棚の２段目にある「Ｐ」というＲＦＩＤタグ２０のＩＤ情報が読み取られてしまう場合、過去にも同様なリードエラー現象があったことをユーザ（操作者）は回数表示によって知ることができる。過去にリードエラーがあっても目視確認にて問題ないことが確認できている場合、リードエラーがあっても無視できるため、ユーザは次のステップＳ１３でリードエラーリストに登録する。リードエラーリストへの登録はＰＣ４０を操作して行う。したがってＰＣ４０は、リードエラーリストへの登録処理を行う登録部を構成する。
【００３９】
このとき、システム側は、「Ａ棚の１段目の棚卸の際に、２段目の「Ｐ」で２回以上リードエラーがありました。今後、１段目の棚卸では「Ｐ」の情報を無視しますか」といったコメントを表示し、ユーザに登録設定の是非を問うようにしてもよい。リードエラーは、ユーザ個々のハンディターミナル３０の操作の仕方（立つ位置や送信角度等）によって発生の度合いが異なることもあるため、リードエラーリストに登録するか否かを決定する際に、過去のリードエラーの発生状況を知らせることは重要な判断情報となり得る。
【００４０】
リードエラーリストに登録された場合は、以降、Ａ棚の１段目の棚卸時には、「Ｐ」のＲＦＩＤタグ２０の情報が読み取られても、無視されるようになる。またステップＳ１０において、既にリードエラーリストに登録されているタグ情報が読み取られた場合は、ステップＳ１４に移行してデータ無視の処理がなされる。したがってリードエラーがあっても、それを無視して棚卸を実施して終了する。また、所定のエリアについて棚卸が終了したあとは、他のエリアの管理情報をデータベース５０から読み出し、同様の手順で棚卸が実行される。
【００４１】
尚、以上の例ではリードエラーの回数を表示して、ユーザの判断によってリードエラーリストに登録するか否かを決定する例を述べたが、リードエラー回数が予め規定した回数以上になったときは、自動的にリードエラーリストに登録するようにしてもよい。契約書等の重要度の高い資産については、ユーザの判断でリードエラーリストに登録するのが望ましいが、重要度がそれほど高くない資産について棚卸する場合は、自動登録することで手間を省くことができる。
【００４２】
また、資産の保管場所を管理して棚卸する場合は、棚卸をする前に、予め保管場所ごとに棚卸のグループ分けを行い、グループ以外のＲＦＩＤタグの情報が読み取られた場合は、その読み取った情報を無視する機能を付加してもよい。つまり、棚卸を実施するグループを複数に分け、棚卸中のグループ以外はエリア外であると判断し、エリア外の他のグループに属するＲＦＩＤタグの情報が読み取られた場合は、それを無視する。これにより、グループ単位で棚卸を実施し、グループ以外のタグ情報が読み取れた場合には、それを無視して棚卸するため、棚卸効率を高めることができる。
【００４３】
以上説明した本発明の実施形態によれば、ＲＦＩＤタグを使用した棚卸管理システムにおいて、エリア外のＲＦＩＤタグが読み取られた場合は、該当するタグをリストに登録することにより、以後、リードエラーがあっても読み取った情報は、無効として処理されるため、効率よく棚卸を行うことができる。
【００４４】
また本発明の実施形態は、以上の説明に限定されることなく、特許請求の範囲を逸脱しない範囲で種々の変形が可能である。
【符号の説明】
【００４５】
１００…保管棚
１０…ホルダー（管理対象資産）
２０…ＲＦＩＤタグ
３０…ハンディターミナル（ＲＦＩＤリーダ）
３１…ＣＰＵ
３５…ＲＦＩＤ制御部
３６…送信制御部
３７…受信制御部
３８…サーキュレータ
３９…アンテナ
４０…ＰＣ（資産管理部）
５０…データベース
【図１】
2011060040.tif 000003
【図２】
2011060040.tif 000004
【図３】
2011060040.tif 000005
【図４】
2011060040.tif 000006
【図５】
2011060040.tif 000007
【図６】
2011060040.tif 000008